(57)【要約】      （修正有）【課題】機械ロック状態を解除せずに電気ロック状態を解除して操作装置を駆動してしまう誤操作を防止できる断路器を提供する。【解決手段】ロックアウト装置３００は、操作ロッド１５０の回転を機械ロックする機械式ロック装置３６０と、操作装置への電源供給を遮断する電気式ロック装置３７０を備える。当該機械式ロック装置３６０は、機械ロックレバー３３０が操作ロッド１５０に取付けた円盤３４０の切欠部３５０と係止することにより行う。当該電気式ロック装置３７０は、電気ロックレバー３１０が移動して電気ロックスイッチ３２０を押圧することにより電気ロックを解除する。機械ロックレバー３３０が切欠部３５０に入り込んだ状態では、電気ロックレバー３１０は電気ロックスイッチ３２０を押圧することができない。【選択図】図５
2008235223.tif 000002
【特許請求の範囲】
【請求項１】
送電路の入状態と切状態とを切り替えるブレードと、
前記ブレードの作動を機械的にロックする機械式ロック装置と、
前記ブレードの作動を電気的にロックする電気式ロック装置と、を備えた断路器であって、
前記機械式ロック装置により前記ブレードの作動がロックされた状態で、前記電気式ロック装置による前記ブレードの作動のロックが解除されるのを阻止する機構を備えたことを特徴とする断路器。
【請求項２】
回転駆動されることにより送電路の入状態と切状態とを切り替えるブレードと、
入又は切の操作指令に応じて、電力を駆動源として回転軸を介して前記ブレードを回転駆動する操作装置と、
前記回転軸に取り付けられた円盤と、前記円盤の回転をロックした状態とロックを解除した状態とを取り得る第１のロック部材とを有する機械式ロック装置と、
押圧されている状態で前記操作装置への電源供給が行われ、押圧されていない状態で前記操作装置への電源供給が遮断されるように構成されたプッシュスイッチと、前記プッシュスイッチを押圧した状態と押圧しない状態とを取り得る第２のロック部材とを有する電気式ロック装置と、を備えた断路器であって、
前記第１のロック部材が前記円盤の回転をロックした状態で、前記第２のロック部材が前記プッシュスイッチを押圧した状態を取ることが阻止されるように構成されていることを特徴とする断路器。
【請求項３】
請求項２記載の断路器であって、
前記第２のロック部材に取付けられた誤操作防止部材を備え、
前記円盤の回転をロックした状態の前記第１のロック部材と、前記誤操作防止部材とが干渉することにより、前記第２のロック部材が前記プッシュスイッチを押圧するのを阻止することを特徴とする断路器。
【請求項４】
回転駆動されることにより送電路の入状態と切状態とを切り替えるブレードと、
入又は切の操作指令に応じて、電力を駆動源として回転軸を介して前記ブレードを回転駆動する操作装置と、
前記回転軸に取り付けられた円盤と、前記円盤の回転をロックした状態とロックを解除した状態とを取り得る第１のロック部材とを有する機械式ロック装置と、
押圧されている状態で前記操作装置への電源供給が行われ、押圧されていない状態で前記操作装置への電源供給が遮断されるように構成されたプッシュスイッチと、前記プッシュスイッチを押圧した状態と押圧しない状態とを取り得る第２のロック部材とを有する電気式ロック装置と、を備えた断路器の前記第２のロック部材に取付けられる誤操作防止部材であって、
前記円盤の回転をロックした状態の第１のロック部材と干渉することにより、前記第２のロック部材が前記プッシュスイッチを押圧するのを阻止することを特徴とする誤操作防止部材。
【発明の詳細な説明】
【技術分野】
【０００１】
本発明は、機械式ロック装置及び電気式ロック装置を備えた断路器の誤操作の防止部材及びこの誤操作防止部材を備えた断路器に関し、特に、機械式ロック装置がロック状態である場合に電気式ロック装置のロック状態を解除してしまうという誤操作を防止することのできる断路器及び誤操作の防止部材に関する。
【背景技術】
【０００２】
発変電所には、変圧器，遮断器等の主要機器を送電路から切り離すための断路器が設けられている。このような断路器は、送電路に接続される通常１組又は３組の固定接触部の間に設けられたブレードをモータ等の操作装置により操作ロッドを介して回転させることにより、ブレードが固定接触部間を電気的に接続した通電状態と、ブレードと固定接触部とが離間し、電気的に切断した遮断状態とを切り替えることができる。
【０００３】
このような断路器には、作業上の安全を確保するため、操作装置の回転運動をブレードに伝達する操作ロッドの回転を機械的にする機械式ロック装置と、ブレードに回転を加える操作装置を停電状態とする電気式ロック装置とを二重に備えたものがある（例えば、特許文献１参照）。
【特許文献１】特許第２６５３５０３号公報
【発明の開示】
【発明が解決しようとする課題】
【０００４】
このような断路器においては、電気式ロック装置及び機械式ロック装置のロック状態を個々に解除することができるため、電気式ロック装置のロック状態を解除したものの、機械式ロック装置のロック状態の解除を失念してしまうことがある。この状態で操作装置を作動させると、機械式ロック装置に無理な力が働いてしまい、操作ロッドなどの動力伝達機構を破損してしまったり、操作装置に過大な電流が流れて発熱し焼損してしまったりする虞がある。
【０００５】
本発明は、上記の問題に鑑みなされたものであり、その目的は、機械式ロック装置のロック状態を解除しないまま、電気式ロック装置のロック状態を解除してしまうのを防止することである。
【課題を解決するための手段】
【０００６】
本発明の断路器は、送電路の入状態と切状態とを切り替えるブレードと、前記ブレードの作動を機械的にロックする機械式ロック装置と、前記ブレードの作動を電気的にロックする電気式ロック装置と、を備えた断路器であって、前記機械式ロック装置により前記ブレードの作動がロックされた状態で、前記電気式ロック装置による前記ブレードの作動のロックが解除されるのを阻止する機構を備えたことを特徴とする。
【０００７】
また、本発明の断路器は、回転駆動されることにより送電路の入状態と切状態とを切り替えるブレードと、入又は切の操作指令に応じて、電力を駆動源として回転軸を介して前記ブレードを回転駆動する操作装置と、前記回転軸に取り付けられた円盤と、前記円盤の回転をロックした状態とロックを解除した状態とを取り得る第１のロック部材とを有する機械式ロック装置と、押圧されている状態で前記操作装置への電源供給が行われ、押圧されていない状態で前記操作装置への電源供給が遮断されるように構成されたプッシュスイッチと、前記プッシュスイッチを押圧した状態と押圧しない状態とを取り得る第２のロック部材とを有する電気式ロック装置と、を備えた断路器であって、前記第１のロック部材が前記円盤の回転をロックした状態で、前記第２のロック部材が前記プッシュスイッチを押圧した状態を取ることが阻止されるように構成されていることを特徴とする。
上記の断路器において、前記第２のロック部材に取付けられた誤操作防止部材を備え、前記円盤の回転をロックした状態の前記第１のロック部材と、前記誤操作防止部材とが干渉することにより、前記第２のロック部材が前記プッシュスイッチを押圧するのを阻止してもよい。
【０００８】
また、本発明の誤操作防止部材は、回転駆動されることにより送電路の入状態と切状態とを切り替えるブレードと、入又は切の操作指令に応じて、電力を駆動源として回転軸を介して前記ブレードを回転駆動する操作装置と、前記回転軸に取り付けられた円盤と、前記円盤の回転をロックした状態とロックを解除した状態とを取り得る第１のロック部材とを有する機械式ロック装置と、押圧されている状態で前記操作装置への電源供給が行われ、押圧されていない状態で前記操作装置への電源供給が遮断されるように構成されたプッシュスイッチと、前記プッシュスイッチを押圧した状態と押圧しない状態とを取り得る第２のロック部材とを有する電気式ロック装置と、を備えた断路器の前記第２のロック部材に取付けられる誤操作防止部材であって、前記円盤の回転をロックした状態の第１のロック部材と干渉することにより、前記第２のロック部材が前記プッシュスイッチを押圧するのを阻止することを特徴とする。
【発明の効果】
【０００９】
本発明によれば、機械式ロック装置がロック状態の場合には、電気式ロック装置のロック状態を解除することができない。これにより、機械式ロック装置がロック状態のまま、電気式ロック装置のロック状態を解除してしまうことを防止することができる。
【発明を実施するための最良の形態】
【００１０】
以下、本発明の断路器の一実施形態について、図面を参照しながら詳細に説明する。
まず、本発明の前提となる電気式ロック装置及び機械式ロック装置を備えた断路器１００について説明する。図１は、断路器１００を示す斜視図である。同図に示すように、断路器１００は、送電路に接続される複数組（図では３組）の固定接触部１１０ａ，１１０ｂと、これら固定接触部１１０ａ，１１０ｂの間を開閉するブレード１２０と、固定接触部１１０ａ，１１０ｂを絶縁する碍子１３０と、操作装置１４０の内部に設けられた操作装置（図１には示さず）の回転を一のブレード１２０に伝達するための操作ロッド１５０と、当該一のブレード１２０の回転を他のブレード１２０に伝達するための連動ロッド１６０とを備えて構成される。断路器１００は、入又は切の操作指令に基づき、上記操作装置が回転駆動し、この回転駆動が操作ロッド１５０を介して伝達され、ブレード１２０が回転することにより、固定接触部１１０ａ，１１０ｂ間が開閉されることにより、送電路の入切状態を切り替えるものである。
【００１１】
操作装置１４０の内部には、その回転をロックするためのロックアウト装置３００が設けられている。図２及び図３は、ロックアウト装置３００の構成の一例を示す図であり、各図において、（Ａ）は平面図、（Ｂ）は正面図、（Ｃ）は側面図である。図２及び図３に示すように、ロックアウト装置３００は、操作ロッド１５０の回転を機械的にロックする機械式ロック装置３６０と、操作ロッド１５０を回転させる操作装置への電源供給を遮断することにより操作ロッド１５０の回転を電気的にロックする電気式ロック装置３７０とを備える。なお、図２は、電気式ロック装置３７０及び機械式ロック装置３６０がロックされた状態を、図３は、電気式ロック装置３７０及び機械式ロック装置３６０のロックが解除された状態を示す。
【００１２】
機械式ロック装置３６０は、操作機構の操作ロッド１５０に取付けられた円盤３４０と、主軸３８０を中心として、円盤３４０に設けられた切欠部３５０に入り込んだ状態と、この状態からほぼ１８０°回転して切欠部３５０から外れた状態との間を回動可能な機械ロックレバー３３０と、で構成される。
機械ロックレバー３３０を切欠部３５０に入り込んだ状態とすることにより、機械ロックレバー３３０と切欠部３５０の縁とが係合し、操作ロッド１５０の回転がロックされる。また、機械ロックレバー３３０を切欠部３５０から外れた状態に回動させることにより、ロック状態が解除される。なお、本実施形態では、円盤３４０に機械ロックレバー３３０と係止する切欠部３５０を設ける構成としたが、これに限らず、機械ロックレバー３３０と係合する穴を設ける構成としてもよい。
【００１３】
電気式ロック装置３７０は、操作装置の入切状態を切り替える電気ロックスイッチ３２０と、主軸３９０を中心として先端部３１０Ａが電気ロックスイッチ３２０を押圧した状態と、電気ロックスイッチ３２０から離間した状態との間で回動可能な電気ロックレバー３１０とで構成される。
電気ロックスイッチ３２０は、押圧されていない状態では操作装置への電源供給を遮断し、押圧されることにより操作装置へ電源供給する。従って、電気ロックレバー３１０を、電気ロックスイッチ３２０から離間した状態となるように回動させることにより、操作装置への電源供給が遮断されるため、操作ロッド１５０の回転をロックすることができる。また、電気ロックレバー３１０を、電気ロックスイッチ３２０を押圧するように回動させることにより、操作装置への電源供給が行われて、ロック状態が解除される。
【００１４】
上記のように、ロックアウト装置３００は、機械式ロック装置３６０及び電気式ロック装置３７０が互いに独立した機構であるため、機械式ロック装置３６０をロック状態としたまま、電気式ロック装置３７０のロックを解除することができる。しかし、従来技術の欄において説明したように、機械式ロック装置３６０をロック状態としたまま、電気式ロック装置３７０のロック状態を解除し、制御モータを回転させると、切欠部３５０の縁と機械ロックレバー３３０とが係合した状態で操作ロッド１５０に回転駆動が加わるため、機械式ロック装置３６０を構成する部材や、操作ロッド１５０などが破損してしまったり、操作装置が発熱してしまったりする虞がある。
【００１５】
そこで、本実施形態では、以下に詳述するように、機械式ロック装置３６０がロック状態では電気式ロック装置３７０のロック状態を解除することができないよう、電気ロックレバー３１０に誤操作防止部材２００を取付けることとした。
【００１６】
図４は、誤操作防止部材２００を示す図である。同図に示すように、誤操作防止部材２００は、「ロック中」の文字が書かれた看板部２１０と、看板部２１０に対して垂直に延びるように設けられた互いに対向する一対の板材２２０とで構成される。
【００１７】
図５は、誤操作防止部材２００を取り付けたロックアウト装置を示す図である。なお、同図において、機械式ロック装置３６０及び電気式ロック装置３７０はロック状態である。図５に示すように、誤操作防止部材２００は、一対の板材２２０で電気ロックレバー３１０を挟みこみ、ビス２３０により両側から押さえつけることにより電気ロックレバー３１０に固定されている。また、板材２２０は、後に詳述するように、電気ロックレバー３１０を電気ロックスイッチ３２０を押圧する位置に向けて回動させる際に、ロック状態にある機械式ロック装置３６０の機械ロックレバー３３０と干渉するように形成されている。
【００１８】
図６は、電気ロックレバー３１０を電気ロックスイッチ３２０を押圧する位置に向けて回動させた状態を示す図であり、（Ａ）は、機械式ロック装置３６０のロック状態を解除した後、電気ロックレバー３１０を回動させた場合を示し、（Ｂ）は、機械式ロック装置３６０のロック状態を解除せずに、電気ロックレバー３１０を回動させた場合を示す。同図（Ａ）に示すように、機械式ロック装置３６０のロックを解除した状態では、機械ロックレバー３３０が円盤３４０の切欠部３５０に位置しない状態となっている。このため、電気ロックレバー３１０に取付けられた誤操作防止部材２００が機械ロックレバー３３０と干渉することがなく、電気ロックレバー３１０を電気ロックスイッチ３２０を押圧する状態まで回動させ、電気式ロック装置３７０のロック状態を解除することができる。
【００１９】
これに対し、同図（Ｂ）に示すように、機械式ロック装置３６０のロック状態を解除していない状態では、電気ロックレバー３１０が水平方向に延びている。このため、電気ロックレバー３１０を回動させようとしても、電気ロックレバー３１０に取付けられた誤操作防止部材２００と、機械ロックレバー３３０とが干渉するため、電気ロックレバー３１０を電気ロックスイッチ３２０を押圧する状態まで回動させることができず、電気式ロック装置３７０のロック状態を解除することができない。
【００２０】
このように、誤操作防止部材２００を取付けることにより、機械式ロック装置３６０によるロックが解除された状態の場合には、電気式ロック装置３７０のロックを解除することができるが、機械式ロック装置３６０がロック状態にある場合には、電気式ロック装置３７０のロックを解除することができない。このため、機械式ロック装置３６０がロック状態のまま、電気式ロック装置３７０のロック状態を解除して、操作装置を駆動させてしまうことにより、操作ロッド１５０や機械式ロック装置３６０などが破損するのを防止できる。
【００２１】
また、図５に示すように、電気ロックレバー３１０が電気ロックスイッチ３２０を押圧しない状態（電気式ロック装置３７０のロック状態）では、看板部２１０は正面に向くが、電気ロックレバー３１０が電気ロックスイッチ３２０を押圧する状態（電気式ロック装置３７０のロック解除状態）では、看板部２１０は下方に向く。このため、電気式ロック装置のロックが解除された場合には、看板部２１０の「ロック中」の表示は作業員からは見えず、電気式ロック装置３７０がロックされた状態では、看板部２１０の「ロック中」の表示を作業員は見ることができる。これにより、作業員はロック状態であることを視覚的に確認することができ、誤操作を防止できる。
【００２２】
以上説明したように、本実施形態によれば、誤操作防止部材２００を取付けることにより、機械式ロック装置３６０がロックされた状態では、電気式ロック装置３７０のロックを解除することができない。このため、機械式ロック装置３６０のロックを解除せずに、電気式ロック装置３７０のロックを解除し、操作装置を駆動してしまうような誤操作を防止できる。また、電気式ロック装置３７０又は機械式ロック装置３６０がロック状態にある場合には、「ロック中」の文字が正面に向かって表示され、作業員は視覚的にもロック中であることを認識できるため、誤操作をより確実に防止できる。
【００２３】
なお、本実施形態では、電気ロックレバー３１０に誤操作防止部材２００を取付ける構成としたが、これに限らず、上記の誤操作防止部材２００を当初から備えた断路器としてもよい。
また、誤操作防止部材は、上記説明した形状に限定されず、機械式ロック装置３６０が機械ロック状態である場合に、電気ロック状態を解除するのを妨げる構成であればよい。
【図面の簡単な説明】
【００２４】
【図１】電気式ロック装置及び機械式ロック装置によるロックアウト装置を備えた断路器を示す斜視図である。
【図２】電気式ロック装置及び機械式ロック装置のロックが行われている状態のロックアウト装置の構成を示す図であり、（Ａ）は平面図、（Ｂ）は正面図、（Ｃ）は側面図である。
【図３】電気式ロック装置及び機械式ロック装置がロックが解除された状態のロックアウト装置の構成を示す図であり、（Ａ）は平面図、（Ｂ）は正面図、（Ｃ）は側面図である。
【図４】誤操作防止部材を示す図であり、（Ａ）は平面図、（Ｂ）は正面図、（Ｃ）は側面図である。
【図５】誤操作防止部材を取り付けたロックアウト装置を示す図である。
【図６】電気ロックレバーを回動させた状態を示す図であり、（Ａ）は、機械式ロック装置のロックを解除した後、電気ロックレバーを回動させた場合を示し、（Ｂ）は、機械式ロック装置のロックを解除せずに、電気ロックレバーを回動させた場合を示す。
【符号の説明】
【００２５】
１００  断路器                          １１０  固定接触部
１２０  ブレード                        １３０  碍子
１４０  操作装置                        １５０  操作ロッド
２００  誤操作防止部材                  ２１０  看板部
２２０  板材                            ２３０  ビス
３００  ロックアウト装置                ３１０  電気ロックレバー
３２０  ロックスイッチ                  ３３０  機械ロックレバー
３４０  円盤                            ３５０  切欠部
３６０  機械式ロック装置                ３７０  電気式ロック装置
【図１】
2008235223.tif 000003
【図２】
2008235223.tif 000004
【図３】
2008235223.tif 000005
【図４】
2008235223.tif 000006
【図５】
2008235223.tif 000007
【図６】
2008235223.tif 000008